(57)【要約】      （修正有）【課題】部屋の通気性及び冷暖房効率を向上しつつ、外観に優れた建具を提供する。【解決手段】一対の縦框２、２、一対の縦框２、２間を上方で継ぐ上桟３Ａ、下方で継ぐ下桟３Ｂ、及び一対の縦框２、２と上桟３Ａと下桟３Ｂとで形成される枠体６に、前後方向に間隔を隔てて配される前後の面材５Ａ、５Ｂを具えて建具１を構成する。さらに、前後の面材５Ａ、５Ｂは、前後方向に貫通する開口部８Ａ、８Ｂを備え、後の面材５Ｂには、開口部８Ａ、８Ｂを覆う通気シート材１８を設ける。また、建具１には、通気シート材１８を前方で覆う遮蔽位置と、前後の面材５Ａ、５Ｂ間に収容し、かつ通気シート材１８を露出させる開位置との間でスライド自在な遮蔽板２１を設ける。【選択図】図１
0003171821.tif 000002
【実用新案登録請求の範囲】
【請求項１】
左右に配される一対の縦框、
前記一対の縦框間を上方で継ぐ上桟、
前記一対の縦框間を下方で継ぐ下桟、及び
前記一対の縦框と前記上桟と前記下桟とで形成される枠体に、前後方向に間隔を隔てて配される前後の面材を具えた建具であって、
前記前後の面材は、前後方向に貫通する開口部を有し、
後の面材には、前記開口部を覆う通気シート材が設けられ、
前記通気シート材を前方で覆う遮蔽位置と、前記前後の面材間に収容され、かつ前記通気シート材を露出させる開位置との間でスライド自在な遮蔽板が設けられることを特徴とする建具。
【請求項２】
前記開口部は、前記面材の上側に配置され、かつこの開口部の下方に、前記遮蔽板を収容する戸袋部が設けられ、
前記戸袋部は、前記遮蔽板の左右の両側縁を案内する上下にのびる縦レールを有する請求項１に記載の建具。
【請求項３】
前記上桟には、前記遮蔽板を、前記一対の面材間に出し入れ可能な取出口が設けられる請求項２に記載の建具。
【請求項４】
前記開口部は、前記面材の左右の一方に配置され、かつこの開口部の他方に前記遮蔽板を収容する戸袋部が設けられ、
前記戸袋部は、前記遮蔽板の上縁及び下縁を案内する左右にのびる横レールを有する請求項１に記載の建具。
【請求項５】
前の面材の開口部は、正面視において、前記遮蔽板よりも大に形成され、
前の面材の開口部には、その縁に沿って配され、かつ前記遮蔽板を取り外し可能に支持する額縁状の枠体が設けられる請求項４に記載の建具。
【請求項６】
前記通気シート材は、簾部材である請求項１乃至５のいずれかに記載の建具。
【請求項７】
前記遮蔽板の前面には、絵画又は写真等の装飾部が設けられ、
前記装飾部は、前記前の面材の前記開口部から視認可能に設けられる請求項１乃至６のいずれかに記載の建具。
【請求項８】
前記開口部は、正面視円型状に形成される請求項１乃至７のいずれかに記載の建具。
【考案の詳細な説明】
【技術分野】
【０００１】
本考案は、部屋の通気性及び冷暖房効率を向上しつつ、外観に優れる建具に関する。
【背景技術】
【０００２】
近年、開閉や間仕切り等の基本機能に加えて、様々な細工が施された建具が提案されている。例えば、本考案者は、下記の特許文献１において、建具枠体の開口部を簾状シート材で覆うとともに、開口部を小障子を用いて隠蔽可能とした簾障子を提案している。
【０００３】
このような簾障子は、開口部から部屋に風を通して通気性を確保しうるとともに、開口部を小障子で隠蔽して通気を遮断し、冷暖房効率等を向上させることができる。
【先行技術文献】
【特許文献】
【０００４】
【特許文献１】実登３１３８９６８号公報
【考案の概要】
【考案が解決しようとする課題】
【０００５】
しかしながら、上記のような建具は、小障子が、建具枠体の上側で、該建具の一方の面から露出して収容されていた。このため、従来の建具では、外観のさらなる向上が求められていた。
【０００６】
本考案は、以上のような実状に鑑み案出されたもので、前後の面材間に収容され、かつ通気シート材を前方で覆う遮蔽位置と通気シート材を露出させる開位置との間でスライド自在な遮蔽板を設けることを基本として、部屋の通気性及び冷暖房効率を向上しつつ、外観に優れる建具を提供することを主たる目的としている。
【課題を解決するための手段】
【０００７】
本考案のうち請求項１記載の考案は、左右に配される一対の縦框、前記一対の縦框間を上方で継ぐ上桟、前記一対の縦框間を下方で継ぐ下桟、及び前記一対の縦框と前記上桟と前記下桟とで形成される枠体に、前後方向に間隔を隔てて配される前後の面材を具えた建具であって、前記前後の面材は、前後方向に貫通する開口部を有し、後の面材には、前記開口部を覆う通気シート材が設けられ、前記通気シート材を前方で覆う遮蔽位置と、前記前後の面材間に収容され、かつ前記通気シート材を露出させる開位置との間でスライド自在な遮蔽板が設けられることを特徴とする。
【０００８】
また、請求項２記載の考案は、前記開口部は、前記面材の上側に配置され、かつこの開口部の下方に、前記遮蔽板を収容する戸袋部が設けられ、前記戸袋部は、前記遮蔽板の左右の両側縁を案内する上下にのびる縦レールを有する請求項１に記載の建具である。
【０００９】
また、請求項３記載の考案は、前記上桟には、前記遮蔽板を、前記一対の面材間に出し入れ可能な取出口が設けられる請求項２に記載の建具である。
【００１０】
また、請求項４記載の考案は、前記開口部は、前記面材の左右の一方に配置され、かつこの開口部の他方に前記遮蔽板を収容する戸袋部が設けられ、前記戸袋部は、前記遮蔽板の上縁及び下縁を案内する左右にのびる横レールを有する請求項１に記載の建具である。
【００１１】
また、請求項５記載の考案は、前の面材の開口部は、正面視において、前記遮蔽板よりも大に形成され、前の面材の開口部には、その縁に沿って配され、かつ前記遮蔽板を取り外し可能に支持する額縁状の枠体が設けられる請求項４に記載の建具である。
【００１２】
また、請求項６記載の考案は、前記通気シート材は、簾部材である請求項１乃至５のいずれかに記載の建具である。
【００１３】
また、請求項７記載の考案は、前記遮蔽板の前面には、絵画又は写真等の装飾部が設けられ、前記装飾部は、前記前の面材の前記開口部から視認可能に設けられる請求項１乃至６のいずれかに記載の建具である。
【００１４】
また、請求項８記載の考案は、前記開口部は、正面視円型状に形成される請求項１乃至７のいずれかに記載の建具である。
【考案の効果】
【００１５】
請求項１に係る考案は、左右に配される一対の縦框、一対の縦框間の上方を継ぐ上桟、一対の縦框間の下方を継ぐ下桟、及び一対の縦框と上桟と下桟とで形成される枠体に、前後方向に間隔を隔てて配される前後の面材を具える。
【００１６】
また、前後の面材は、前後方向に貫通する開口部を有し、後の面材には、前記開口部を覆う通気シート材が設けられる。これにより、建具は、開口部から部屋に風を通して通気性を確保しうる。
【００１７】
さらに、建具には、前後の面材間に収容され、かつ通気シート材を前方で覆う遮蔽位置と、通気シート材を露出させる開位置との間でスライド自在な遮蔽板が設けられる。このような遮蔽板は、遮蔽位置において、開口部の通気を遮断でき、冷暖房効率を向上しうる。しかも、遮蔽板は、開位置において、前後の面材間に収容されるため、すっきりとしたデザインに仕上げることができ、外観を向上しうる。
【００１８】
また、請求項２に係る考案は、開口部は、前記面材の上側に配置され、かつこの開口部の下方に、遮蔽板を収容する戸袋部が設けられ、戸袋部は、遮蔽板の左右の両側縁を案内する上下にのびる縦レールを有する。これにより、遮蔽板は、遮蔽位置と開位置との間で、上下に円滑にスライドしうる。
【００１９】
また、請求項３に係る考案は、上桟には、遮蔽板を、一対の面材間に出し入れ可能な取出口が設けられるため、該遮蔽板のメンテナンス性を向上しうる。
【００２０】
また、請求項４に係る考案は、開口部は、面材の左右の一方に配置され、かつこの開口部の他方に前記遮蔽板を収容する戸袋部が設けられ、戸袋部は、遮蔽板の上縁及び下縁を案内する左右にのびる左右にのびる横レールを有する。これにより、遮蔽板は、戸袋部と開口部との間で、左右に円滑にスライドしうる。
【００２１】
また、請求項５に係る考案は、前の面材の開口部は、正面視において、前記遮蔽板よりも大に形成され、遮蔽板は、開口部の開口面積よりも小に形成され、前の面材の開口部には、その縁に沿って配され、かつ前記遮蔽板を取り外し可能に支持する額縁状の枠体が設けられる。この枠体を外すことにより、遮蔽板を、開口部から取り外ことができ、メンテナンス性を向上しうる。
【００２２】
また、請求項６に係る考案は、通気シート材は、簾部材であるため、日差しを遮りつつ、部屋に風を通して通気性を確保しうる。
【００２３】
また、請求項７に係る考案は、遮蔽板の前面には、絵画又は写真等の装飾部が設けられる。この装飾部は、面材の開口部から視認可能に設けられるため、建具の外観をさらに向上しうる。
【００２４】
また、請求項８に係る考案は、前記開口部は、正面視円型状に形成され、和やかなデザインに仕上げることができ、外観をさらに向上しうる。
【図面の簡単な説明】
【００２５】
【図１】本実施形態の建具の分解斜視図である。
【図２】建具の正面図である。
【図３】建具の背面図である。
【図４】建具の部分断面図である。
【図５】（ａ）は遮蔽位置の遮蔽板を示す正面図、（ｂ）は開位置の遮蔽板を示す正面図である。
【図６】（ａ）は遮蔽板の正面図、（ｂ）は摘み部の拡大斜視図である。
【図７】図６（ｂ）のＡ−Ａ断面図である。
【図８】上桟の取出口の拡大斜視図である。
【図９】他の実施形態の建具を示す正面図である。
【図１０】（ａ）は図９のＢ−Ｂ断面図、（ｂ）は図９のＣ−Ｃ断面図である。
【考案を実施するための形態】
【００２６】
以下、本考案の実施の一形態が図面に基づき説明される。
図１に示されるように、本実施形態の建具１は、例えば、部屋の鴨居及び敷居に設けられる溝（図示省略）にそれぞれ嵌め込まれ、部屋を間仕切る戸襖として形成される。
【００２７】
この建具１は、左右に配される一対の縦框２、２、一対の縦框２、２間を上方で継ぐ上桟３Ａ、下方で継ぐ下桟３Ｂ、及び一対の縦框２、２と上桟３Ａと下桟３Ｂとからなる枠体６に配される前後の面材５Ａ、５Ｂを具える。
【００２８】
前記縦框２は、例えば、断面略矩形状の枠材からなり、上桟３Ａと下桟３Ｂとの間を垂直方向にのびる。また、上桟３Ａ及び下桟３Ｂは、縦框２、２間を左右にのび、かつそれぞれの左右の両端が、該縦框２に固着される。
【００２９】
さらに、本実施形態では、上桟３Ａと下桟３Ｂとの間に、縦框２、２間を左右にのびる中桟３Ｃが設けられる。このような中桟３Ｃは、上桟３Ａ及び下桟３Ｂとともに、縦框２、２間を連結でき、枠体６を補強しうる。なお、これらの縦框２、上桟３Ａ、下桟３Ｂ及び中桟３Ｃは、本実施形態では、一般的な仕口工法によって互いに枠組みされるが、例えば、釘や接着剤等のみで固着されてもよい。
【００３０】
前記面材５Ａ、５Ｂは、正面視縦長矩形の板状に形成され、前後方向に互いに間隔を隔てて、枠体６の両面に固着される。また、面材５Ａ、５Ｂには、前後方向に貫通する開口部８Ａ、８Ｂがそれぞれ形成される。
【００３１】
本実施形態の開口部８Ａ、８Ｂは、正面視円形状に形成され、面材５Ａ、５Ｂの上側に設けられる。このような開口部８Ａ、８Ｂは、部屋の通気性を確保しつつ、建具１を、和やかなデザインに仕上げうる。
【００３２】
前記前の面材５Ａには、図２及び図４に示されるように、開口部８Ａの縁に沿って配される枠材１１と、その前面に貼り付けられる襖紙１２と、該襖紙１２の縁に沿って貼り付けられる襖縁１３と、前面の左右の一方側に固着される引手１４とが設けられる。これらの襖縁１３及び引手１４は、建具１の開閉時や運搬時等に把持され、襖紙１２に手垢等が付着するのを抑制しうる。
【００３３】
前記後の面材５Ｂには、図３及び図４に示されるように、開口部８Ｂの縁に沿って配される枠材１５、その背面に貼り付けられる化粧板１６、正面視において、その背面の左右の一方側に配される引手１７、開口部８を前方側で覆う通気シート材１８、及び該通気シート材１８を固定する固着部１９が設けられる。
【００３４】
前記通気シート材１８は、図１に示されるように、例えば、正面視略矩形状に形成され、前記開口部８Ｂの全面を覆う大きさを有する。また、本実施形態の通気シート材１８は、垂直方向に平行にのびる複数の棒状体を、隙間を空けて編み連ねた簾部材１８Ａからなる。このような簾部材１８Ａは、日差しを遮りつつ、部屋に風を通して通気性を確保しうる。なお、前記棒状体は、木、竹又は葦からなるものが望ましいが、例えば、プラスチック等の合成樹脂や金属等からなるものでもよい。
【００３５】
また、本実施形態では、通気シート材１８が簾部材１８Ａからなるものが例示されたが、これに限定されるわけではなく、例えば、虫の侵入を防ぐ防虫網状のものや、織布又は不織布等でもよい。
【００３６】
前記固着部１９は、通気シート材１８の上下に配される一対の横桟１９ａ、１９ａ、該横桟１９ａ、１９ａ間を上下に継ぐ一対の縦桟１９ｂ、１９ｂ、及び横桟１９ａ、１９ａと縦桟１９ｂ、１９ｂとで囲まれる開口１９ｄを覆って固着される中の面材１９ｃを有する。
【００３７】
前記横桟１９ａ、１９ａは、開口部８Ｂの上側及び下側を左右にのび、かつそれらの両端が、縦框２、２に固着される。また、縦桟１９ｂ、１９ｂは、開口部８Ｂの左右の両側を上下にのび、それらの両端が横桟１９ａ、１９ａに固着される。
【００３８】
図４に示されるように、横桟１９ａ、１９ａ及び縦桟１９ｂ、１９ｂには、それらの内面に、長手方向にのびる溝１９ｅが設けられる。この溝１９ｅには、通気シート材１８の上下左右の縁が配置され、該通気シート材１８を嵌め殺しにしうる。
【００３９】
また、前記中の面材１９ｃは、図１及び図４に示されるように、前後の面材５Ａ、５Ｂの開口部８Ａ、８Ｂと連通する正面視円形状の開口２０を有し、通気シート材１８を介して前記開口１９ｄ内に固着される。この中の面材１９ｃは、後の面材５Ｂとの間で通気シート材１８を強固に挟持しうる。
【００４０】
そして、建具１には、図１に示されるように、通気シート材１８を前方で覆う遮蔽位置（図５（ａ）に示す）と、前後の面材５Ａ、５Ｂ間に収容され、かつ通気シート材１８を露出させる開位置（図５（ｂ）に示す）との間で、スライド自在な遮蔽板２１が設けられる。本実施形態の遮蔽板２１は、正面視において、開口部８Ａ、８Ｂの下方に形成される戸袋部２２（図５（ｂ）に示す）に収容される。
【００４１】
前記遮蔽板２１は、図６（ａ）に示されるように、基板２５と、該基板２５の上下の縁に沿って左右にのびる摘み部２６、２６と、該基板２５の左右の両側縁２５ｓ、２５ｓに配されかつ該遮蔽板２１を支持する支持手段２７とを有する。
【００４２】
前記基板２５は、図５（ａ）に示されるように、正面視略矩形状に形成され、前の面材５Ａの開口部８Ａの全面を覆う大きさを有する。この遮蔽板２１は、図４に示されるように、縦框２、２、前の面材５Ａ及び後の面材５Ｂ間で囲まれる空間Ｑ内において、上下方向にスライドしうる。
【００４３】
また、本実施形態の基板２５には、図６（ａ）に示されるように、その前面に、絵画や写真等からなる装飾部３４が設けられる。このような装飾部３４は、図５（ａ）に示される遮蔽位置において、前の面材５Ａの開口部８Ａから視認されるため、建具１の外観をさらに向上しうる。
【００４４】
前記摘み部２６は、図６（ｂ）に示されるように、上下にのびるウエブ２６ａと、該ウエブ２６ａの上下端から前方側へ突出する一対のフランジ２６ｂ、２６ｂとを含み、側面視略コ字状に形成される。
【００４５】
このような摘み部２６は、ウエブ２６ａとフランジ２６ｂ、２６ｂとからなる溝２３に、使用者の指を引っ掛けることができ、遮蔽板２１のスライドを容易にしうる。また、摘み部２６、２６の何れかは、図５（ａ）に示される遮蔽位置と、図５（ｂ）に示される開位置との双方において、前の面材５Ａの開口部８Ａから視認されるのが望ましい。これにより、使用者は、摘み部２６に指を確実に引っ掛けることができ、遮蔽板２１のスライドをさらに容易にしうる。
【００４６】
前記支持手段２７は、図６（ａ）に示されるように、基板２５の左右の両側縁２５ｓ、２５ｓにおいて、上下端側にそれぞれ設けられる。この支持手段２７は、図７に拡大して示されるように、左右の側縁２５ｓに埋め込まれる基部２７ａ、基部２７ａから外側へ突出する押部２７ｂ、及び該基部２７ａと該押部２７ｂとの間に設けられ、かつ該押部２７ｂを外側に付勢する付勢手段２７ｃを含む。
【００４７】
前記基部２７ａは、基板２５の側縁２５ｓに設けられる凹部２５ｕに埋め込まれて固定される。また基部２７ａには、押部２７ｂの一部と付勢手段２７ｃを格納する空洞部３０と、該空洞部３０から外側に連通する孔部３１とが設けられる。
【００４８】
前記押部２７ｂは、球状に形成され、その直径が、基部２７ａの孔部３１の直径よりも大に形成される。これにより、押部２７ｂは、孔部３１に抜き止めされ、かつその一部を該孔部３１から外側へ突出させうる。
【００４９】
前記付勢手段２７ｃは、基部２７ａの空洞部３０内に配置され、押部２７ｂを支持する支持部３７と、該支持部３７を外側に付勢するバネ部３８とを有する。
【００５０】
このような支持手段２７は、図４に示されるように、押部２７ｂが、縦框２、２の内面を押圧し、前記遮蔽位置と前記開位置との間の任意の位置で、遮蔽板２１を支持しうる。また、押部２７ｂの押圧力に打ち勝つ力で、遮蔽板２１をスライドさせると、該押部２７ｂは、付勢手段２７ｃを空洞部３０内に押し付けながら縦框２の内面を転動し、該遮蔽板２１のスライドを許容しうる。
【００５１】
前記戸袋部２２は、図５（ｂ）に示されるように、縦框２、２、前の面材５Ａ、後の面材５Ｂ及び中桟３Ｃで囲まれる空間に形成される。この戸袋部２２は、前記開位置において、中桟３Ｃが遮蔽板２１の下縁２１ｄに当接し、該遮蔽板２１を位置決めしうる。
【００５２】
また、戸袋部２２には、図１及び図４に示されるように、遮蔽板２１の左右の両側縁２１ｓを案内する上下にのびる縦レール３３が設けられる。この縦レール３３は、縦框２、２の内面を、垂直方向にのびる断面略矩形の浅溝からなり、中桟３Ｃから上桟３Ａにかけて、上下に連続してのびる。
【００５３】
本実施形態の縦レール３３には、基板２５の側縁２５ｓが嵌め込まれる。このような縦レール３３は、遮蔽板２１を、前記遮蔽位置と前記開位置との間で、前後方向にブレることなく上下方向に案内でき、より安定したスライドを実現しうる。
【００５４】
このように、建具１は、図５（ａ）に示される遮蔽位置において、遮蔽板２１が開口部８Ａ、８Ｂの通気を遮断でき、冷暖房効率を向上しうる。しかも、遮蔽板２１は、図５（ｂ）に示される開位置において、前後の面材５Ａ、５Ｂ間の戸袋部２２に収容されるため、該建具１をすっきりとしたデザインに仕上げることができ、外観を向上しうる。
【００５５】
また、建具１には、図８に示されるように、上桟３Ａに、遮蔽板２１を出し入れ可能な取出口３２が設けられるのが望ましい。本実施形態の取出口３２は、上桟３Ａを、縦框２、２間で前の面材５Ａ側に切り欠いて形成される。このような取出口３２により、遮蔽板２１を、図５（ａ）に示される遮蔽位置から、上方へさらにスライドさせることにより、該遮蔽板２１を容易に取り出すことができる。従って、遮蔽板２１のメンテナンス性を向上しうる。
【００５６】
図９には、本考案の建具１の他の実施形態が示される。
この実施形態の建具１は、面材５Ａ、５Ｂの左右の一方に、開口部８Ａ、８Ｂが配置されるとともに、この開口部８Ａ、８Ｂの他方に、遮蔽板２１を収容する戸袋部２２が設けられる。このような建具１も、前記遮蔽位置と前記開位置との間で、遮蔽板２１を左右にスライドさせることにより、通気性及び冷暖房効率を向上しうる。
【００５７】
また、開口部８Ａ、８Ｂ、遮蔽板２１及び戸袋部２２は、上下方向に間隔を空けて３つ配置される。このため、開口部８Ａ、８Ｂは、上下の広範囲に亘って、部屋に風を通すことができ、通気性をさらに向上しうる。
【００５８】
図１０（ａ）に、図９のＢ−Ｂ断面図が示されるように、前記前の開口部８Ａは、遮蔽板２１よりも大に形成される。さらに、前の面材５Ａの開口部８Ａには、その縁に沿って配され、かつ遮蔽板２１を取り外し可能に支持する額縁状の枠体３５が設けられる。
【００５９】
この枠体３５は、開口部８Ａの縁から半径方向内側に向かって突出する凸部３５ａと、該凸部３５ａから前の面材５Ａの前面側に配される鍔部３５ｂとを有し、断面略Ｌ字状に形成される。このような枠体３５は、凸部３５ａと鍔部３５ｂとの入隅に、開口部８Ａの縁が配されることにより、該凸部３５ａが、遮蔽板２１を前方側で支持しうる。また、枠体３５は、開口部８Ａから取り除かれることにより、遮蔽板２１を開口部８Ａから取り外すことができ、メンテナンス性を向上しうる。
【００６０】
前記遮蔽板２１は、図９に示されるように、基板２５と、該基板２５の開口部８Ａ、８Ｂ側の側縁２５ｓに沿って上下にのびる摘み部２６とを有する。
【００６１】
また、前記戸袋部２２は、縦框２、前後の面材５Ａ、５Ｂ、及び開口部８Ａ、８Ｂの上下縁に沿って左右にのびる中桟３Ｃ、３Ｃで囲まれる空間に形成される。
【００６２】
この戸袋部２２には、図１０（ｂ）に、図９のＣ−Ｃ断面図が示されるように、遮蔽板２１の上縁２１ｕ及び下縁２１ｄを案内する左右にのびる横レール３６が形成される。この横レール３６は、中桟３Ｃ、３Ｃを前の面材５Ａ側へ切り欠いた切欠部３９と、前の面材５Ａとで挟まれて形成される。
【００６３】
このような横レール３６は、遮蔽板２１の上縁２１ｕ及び下縁２１ｄが嵌め込まれることにより、該遮蔽板２１を前後方向にブレることなく左右に案内でき、安定したスライドを実現しうる。
【００６４】
以上、本考案の特に好ましい実施形態について詳述したが、本考案は図示の実施形態に限定されることなく、種々の態様に変形して実施しうる。
【符号の説明】
【００６５】
１      建具
２      縦框
３Ａ    上桟
３Ｂ    下桟
５Ａ    前の面材
５Ｂ    後の面材
１８      通気シート材
２１      遮蔽板
【図１】
0003171821.tif 000003
【図２】
0003171821.tif 000004
【図３】
0003171821.tif 000005
【図４】
0003171821.tif 000006
【図５】
0003171821.tif 000007
【図６】
0003171821.tif 000008
【図７】
0003171821.tif 000009
【図８】
0003171821.tif 000010
【図９】
0003171821.tif 000011
【図１０】
0003171821.tif 000012